(57)【要約】      （修正有）【課題】乳幼児のトイレトレーニングをより促すことができるプログラム、トイレトレーニング方法、及びトイレトレーニングシステムを提供する。【解決手段】コンピューターに、乳幼児をトイレに誘導するための誘導画面を画面に表示させる誘導表示処理Ｓ２と、前記乳幼児を前記トイレに誘導した後に、前記乳幼児を褒めるための褒め画面の表示の要求を受け付ける受付処理Ｓ３と、前記受付処理Ｓ３に基づいて、前記褒め画面を前記画面に表示させる褒め表示処理Ｓ４と、を実行させるプログラムである。【選択図】図２
2018084610.tif 000002
【特許請求の範囲】
【請求項１】
コンピューターに、
乳幼児をトイレに誘導するための誘導画面を画面に表示させる誘導表示処理と、
前記乳幼児を前記トイレに誘導した後に、前記乳幼児を褒めるための褒め画面の表示の要求を受け付ける受付処理と、
前記受付処理に基づいて、前記褒め画面を前記画面に表示させる褒め表示処理と、を実行させるプログラム。
【請求項２】
請求項１のプログラムであって、
前記誘導画面は、前記コンピューターの操作者が前記乳幼児に対して読むためのメッセージの表示を含み、
前記メッセージは、前記乳幼児をトイレに誘導するための言葉であることを特徴とするプログラム。
【請求項３】
請求項１又は２に記載のプログラムであって、
前記誘導画面は、所定のキャラクターの表示を含み、
前記キャラクターは、前記乳幼児が使用する吸収性物品に関連付けられたものであることを特徴とするプログラム。
【請求項４】
請求項１から３のいずれか１項に記載のプログラムであって、
前記コンピューターは、カメラを備えており、
前記受付処理は、前記カメラを用いて前記乳幼児を撮影するための操作に基づいて前記表示を受ける要求を受け付ける処理であり、
前記褒め画面は、前記乳幼児が撮影された画像を含むことを特徴とするプログラム。
【請求項５】
請求項４に記載のプログラムであって、
前記褒め画面は、前記乳幼児が撮影された画像とともに、前記乳幼児を褒めるための所定の図柄の表示を含むことを特徴とするプログラム。
【請求項６】
請求項１から５のいずれか１項に記載のプログラムであって、
前記褒め画面は、
前記コンピューターの操作者と前記乳幼児とのスキンシップを促すためのメッセージの表示を含むことを特徴とするプログラム。
【請求項７】
請求項１から６のいずれか１項に記載のプログラムであって、
前記褒め表示処理において、
前記乳幼児が撮影された画像を含む前記褒め画面を前記画面に表示させた後に、
前記コンピューターの操作者と前記乳幼児とのスキンシップを促すためのメッセージを含む前記褒め画面を前記画面に表示させることを特徴とするプログラム。
【請求項８】
請求項６又は７に記載のプログラムであって、
前記褒め画面は、複数の選択肢の表示を含み、
前記複数の選択肢の少なくとも１つの選択肢には、前記スキンシップの方法が隠された状態で対応付けられており、
前記操作者又は乳幼児によって、前記複数の選択肢のうちの前記１つの選択肢が選択されると、選択された前記選択肢に対応付けられた前記スキンシップの方法を表示させることを特徴とするプログラム。
【請求項９】
請求項６又は７に記載のプログラムであって、
前記褒め画面は、異なるスキンシップの方法の表示を視認可能な状態で含むことを特徴とするプログラム。
【請求項１０】
請求項６又は７に記載のプログラムであって、
予め準備された異なるスキンシップの方法の中から、コンピューターに、１つのスキンシップの方法を選択させ、
前記褒め画面は、前記１つのスキンシップの方法の表示を含むことを特徴とするプログラム。
【請求項１１】
コンピューターが、乳幼児をトイレに誘導するための誘導画面を画面に表示する誘導表示ステップと、
前記乳幼児を前記トイレに誘導した後に、前記コンピューターが、前記乳幼児を褒めるための褒め画面の表示の要求を受け付ける受付ステップと、
前記要求に基づいて、前記コンピューターが、前記褒め画面を前記画面に表示する褒め表示ステップと、を備えることを特徴とするトイレトレーニング方法。
【請求項１２】
コンピューターシステムであって、
乳幼児をトイレに誘導するための誘導画面を画面に表示する誘導表示処理部と、
前記コンピューターシステムの操作者が前記乳幼児を前記トイレに誘導した後に、前記乳幼児を褒めるための褒め画面の表示の要求を受け付ける受付処理部と、
前記要求に基づいて、前記褒め画面を前記画面に表示する褒め表示処理部と、を有することを特徴とするコンピューターシステム。
【発明の詳細な説明】
【技術分野】
【０００１】
本発明は、乳幼児のトイレトレーニングのために用いられるプログラム、トイレトレーニング方法、及びトイレトレーニングシステムに関する。
【背景技術】
【０００２】
乳幼児は、成長の過程において、おむつの着用から、トイレで排泄ができるようにトレーニングを行う。このとき、特許文献１に示すように、幼児用補助便座１を大人用便座に載置して、幼児にトイレでの排泄を促すことが知られている。
【先行技術文献】
【特許文献】
【０００３】
【特許文献１】特開２００５−３２３８６９号
【発明の概要】
【発明が解決しようとする課題】
【０００４】
しかしながら、乳幼児が、特許文献１に記載の幼児用補助便座１に座ることを拒んだりする等、トイレトレーニングにおいては、乳幼児や保護者がストレスを感じることがあり、トイレトレーニングが円滑に行えない場合があった。
【０００５】
本発明は、上記のような従来の問題に鑑みてなされたものであって、その目的は、乳幼児のトイレトレーニングをより促すことができるプログラム、トイレトレーニング方法、及びトイレトレーニングシステムを提供することにある。
【課題を解決するための手段】
【０００６】
上記目的を達成するための主たる発明は、コンピューターに、乳幼児をトイレに誘導するための誘導画面を画面に表示させる誘導表示処理と、前記乳幼児を前記トイレに誘導した後に、前記乳幼児を褒めるための褒め画面の表示の要求を受け付ける受付処理と、前記受付処理に基づいて、前記褒め画面を前記画面に表示させる褒め表示処理と、を実行させるプログラムである。
本発明の他の特徴については、本明細書及び添付図面の記載により明らかにする。
【発明の効果】
【０００７】
本発明によれば、トイレに誘導された乳幼児は、褒め表示画面によって褒めてもらえるため、乳幼児は達成感を感じることができ、トイレトレーニングをより促すことができる。
【図面の簡単な説明】
【０００８】
【図１】端末１の機能上の構成を示すブロック図である。
【図２】図２は、本実施形態のトイレトレーニング方法の流れを説明する図である。
【図３】図３は、誘導画面２０を説明する図である。
【図４】図４は、褒め画面３０を説明する図である。
【図５】図５は、選択肢表示画面４０を説明する図である。
【図６】図６は、スキンシップ方法表示画面５０を説明する図である。
【図７】図７は、別の実施形態のスキンシップ方法表示画面５０ｘを説明する図である。
【図８】図８は、別の実施形態のスキンシップ方法表示画面５０ｙを説明する図である。
【発明を実施するための形態】
【０００９】
本明細書及び添付図面の記載により、少なくとも以下の事項が明らかとなる。  
コンピューターに、乳幼児をトイレに誘導するための誘導画面を画面に表示させる誘導表示処理と、前記乳幼児を前記トイレに誘導した後に、前記乳幼児を褒めるための褒め画面の表示の要求を受け付ける受付処理と、前記受付処理に基づいて、前記褒め画面を前記画面に表示させる褒め表示処理と、を実行させるプログラムである。
【００１０】
このようなプログラムによれば、トイレに誘導された乳幼児は、褒め表示画面によって褒めてもらえるため、乳幼児は達成感を感じることができ、トイレトレーニングをより促すことができる。
【００１１】
かかるプログラムであって、前記誘導画面は、前記コンピューターの操作者が前記乳幼児に対して読むためのメッセージの表示を含み、前記メッセージは、前記乳幼児をトイレに誘導するための言葉であることが望ましい。
【００１２】
このようなプログラムによれば、コンピューターの操作者がトイレに誘導するための言葉を乳幼児に向けて読むことで、操作者と乳幼児のコミュニケーションを図りながら、乳幼児をトイレに誘導することができる。
【００１３】
かかるプログラムであって、前記誘導画面は、所定のキャラクターの表示を含み、前記キャラクターは、前記乳幼児が使用する吸収性物品に関連付けられたものであることが望ましい。
【００１４】
このようなプログラムによれば、誘導画面に注目することでトイレトレーニングを始めることを意識させやすくなり、乳幼児が使用する吸収性物品に関連付けられたキャラクターにも親しみを感じてもらえるようにすることができる。
【００１５】
かかるプログラムであって、前記コンピューターは、カメラを備えており、前記受付処理は、前記カメラを用いて前記乳幼児を撮影するための操作に基づいて前記表示を受ける要求を受け付ける処理であり、前記褒め画面は、前記乳幼児が撮影された画像を含むことが望ましい。
【００１６】
このようなプログラムによれば、トイレに誘導された乳幼児は、撮影された自分の姿を画像で見ることによって、トイレトレーニングがうまくできたことの達成感を感じることができる。
【００１７】
かかるプログラムであって、前記褒め画面は、前記乳幼児が撮影された画像とともに、前記乳幼児を褒めるための所定の図柄の表示を含むことが望ましい。
【００１８】
このようなプログラムによれば、トイレに誘導された乳幼児は、所定の図柄が合成されることによって装飾された自分の姿を画像として見ることによって、トイレトレーニングがうまくできたことの達成感をより感じることができる。
【００１９】
かかるプログラムであって、前記褒め画面は、前記コンピューターの操作者と前記乳幼児とのスキンシップを促すためのメッセージの表示を含むことが望ましい。
【００２０】
このようなプログラムによれば、操作者と乳幼児とのスキンシップを促すことによって、操作者と乳幼児との親密さをより向上させることができ、乳幼児は褒められていることをより実感することができる。
【００２１】
かかるプログラムであって、前記褒め表示処理において、前記乳幼児が撮影された画像を含む前記褒め画面を前記画面に表示させた後に、前記コンピューターの操作者と前記乳幼児とのスキンシップを促すためのメッセージを含む前記褒め画面を前記画面に表示させることが好ましい。
【００２２】
このようなプログラムによれば、乳幼児に対して、まずトイレに興味を持たせ、次に、トイレトレーニングが成功した乳幼児が自分の成功を実感し、その後、乳幼児はその成功を褒めてもらえるため、乳幼児は褒めてもらえた喜びだけでなく、操作者と一緒にトイレトレーニングの成功を共感することができ、さらに、乳幼児自身の自信とすることができる。
【００２３】
かかるプログラムであって、前記褒め画面は、複数の選択肢の表示を含み、前記複数の選択肢の少なくとも１つの選択肢には、前記スキンシップの方法が隠された状態で対応付けられており、前記操作者又は乳幼児によって、前記複数の選択肢のうちの前記１つの選択肢が選択されると、選択された前記選択肢に対応付けられた前記スキンシップの方法を表示させることが望ましい。
【００２４】
このようなプログラムによれば、操作者と乳幼児との接触によって、コミュニケーションを図ることができ、また、この接触方法を複数の選択肢から選択することで、乳幼児や操作者は楽しみながらトイレトレーニングを行うことができる。
【００２５】
かかるプログラムであって、前記褒め画面は、異なるスキンシップの方法の表示を視認可能な状態で含むことが望ましい。
【００２６】
このようなプログラムによれば、操作者と乳幼児とのスキンシップの方法を、画面に表示された複数の選択肢から選択することができ、スキンシップを促すことで、操作者と乳幼児とのコミュニケーションを図ることができる。
【００２７】
かかるプログラムであって、予め準備された異なるスキンシップの方法の中から、コンピューターに、１つのスキンシップの方法を選択させ、前記褒め画面は、前記１つのスキンシップの方法の表示を含むことが望ましい。
【００２８】
このようなプログラムによれば、操作者と乳幼児とのスキンシップの方法を複数の選択肢から選択することができ、スキンシップを促すことによって、操作者と乳幼児とのコミュニケーションを図ることができる。
【００２９】
コンピューターが、乳幼児をトイレに誘導するための誘導画面を画面に表示する誘導表示ステップと、前記乳幼児を前記トイレに誘導した後に、前記コンピューターが、前記乳幼児を褒めるための褒め画面の表示の要求を受け付ける受付ステップと、前記要求に基づいて、前記コンピューターが、前記褒め画面を前記画面に表示する褒め表示ステップと、を備えることを特徴とするトイレトレーニング方法である。
【００３０】
このようなトイレトレーニング方法によれば、トイレに誘導された乳幼児は、褒め表示画面によって褒めてもらえるため、乳幼児は達成感を感じることができ、トイレトレーニングをより促すことができる。
【００３１】
コンピューターシステムであって、乳幼児をトイレに誘導するための誘導画面を画面に表示する誘導表示処理部と、前記コンピューターシステムの操作者が前記乳幼児を前記トイレに誘導した後に、前記乳幼児を褒めるための褒め画面の表示の要求を受け付ける受付処理部と、前記要求に基づいて、前記褒め画面を前記画面に表示する褒め表示処理部と、を有することを特徴とするコンピューターシステムである。
【００３２】
このようなコンピューターシステムによれば、トイレに誘導された乳幼児は、褒め表示画面によって褒めてもらえるため、乳幼児は達成感を感じることができ、トイレトレーニングをより促すことができる。
【００３３】
＝＝＝本実施形態＝＝＝
＜端末１＞
端末（コンピューター）１は、各種の処理を行い、その結果を画面１ａ（画面１４）に表示させる。端末１は、例えばスマートフォンやタブレット端末である。端末１は、ダウンロードしたプログラムを実行することで、トイレトレーニングに関する各種処理（後述）を実行する。
【００３４】
図１は、端末１の機能上の構成を示すブロック図である。本実施形態の端末１は、制御部１１、記憶部１２、入力部１３、画面１４、通信部１５、及びカメラ１６を有している。
【００３５】
制御部１１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。
【００３６】
制御部１１は、誘導表示処理部１１１、褒め画面表示受付処理部１１２、褒め画面表示処理部１１３を有している。
【００３７】
誘導表示処理部１１１は、乳幼児をトイレに誘導するための誘導画面２０（後述）を画面１ａに表示させる処理を行い、褒め画面表示受付処理部１１２は、乳幼児を褒めるための褒め画面３０（後述）の表示の要求を受け付ける処理を行い、褒め画面表示処理部１１３は、褒め画面を画面１ａに表示させる処理を行う。
【００３８】
記憶部１２は、褒め画面として表示するための画像データが複数格納されている。入力部１３は、端末１の操作者（以下、単に「操作者」という。）が入力するものであり、タッチパネルのタップ操作により実現される。画面１４は、制御部１１からの指令に基づいて各種の情報を表示する画面である。通信部１５は、プログラムや画像データを受信する受信部としての機能を有している。カメラ１６は、撮影によって画像データを取得する。
【００３９】
＜トイレトレーニング方法＞
以下、図２を参照しつつ、トイレトレーニング方法の流れを説明する。図２は、本実施形態のトイレトレーニング方法の流れを説明する図である。
【００４０】
まず、端末１のプログラムを起動させると（Ｓ１：プログラム起動ステップ）、誘導表示処理部１１１は、画面１ａに、誘導画面２０を表示させる（Ｓ２：誘導画面表示ステップ）。図３は、誘導画面２０を説明する図である。誘導画面２０には、トイレ画像２１と、キャラクター画像２２と、メッセージ画像２３が表示されている。
【００４１】
トイレ画像２１は、端末１のカメラ１６を用いて、これからトイレトレーニングを行う現実のトイレを画面１ａに映し出したものである。画面１ａに実際のトイレを表示させることで、これからトイレトレーニングを行うことを乳幼児により認識させることができる。
【００４２】
キャラクター画像２２は、乳幼児が好むキャラクターの画像であり、記憶部１２内に格納された画像データである。本実施形態においては、キャラクター画像２２は、乳幼児が使用している、又は過去に使用していたおむつ等の吸収性物品に関連づけられたキャラクターを表示している。これによって、乳幼児は、使用している又は過去に使用していた吸収性物品のキャラクターをトイレトレーニングの際に見ることができるため、親しみを感じやすくなり、トイレトレーニングに対する抵抗を軽減することができる。なお、キャラクター画像２２は、必ずしも吸収性物品に関連付けられたキャラクターを表示する必要はなく、他のキャラクターや図柄等を適宜用いることができる。
【００４３】
メッセージ画像２３は、端末１の操作者が乳幼児に対して読むためのメッセージを表示したものである。図３に示すように、本実施形態のメッセージ画像２３は、『僕と一緒に頑張ろうね！』と表しており、端末１の記憶部１２内に格納されている。このメッセージは、乳幼児をトイレに誘導する言葉や、乳幼児を励ます言葉である。なお、記憶部１２内に、複数のメッセージ画像データを格納しておき、無作為に表示させてもよい。
【００４４】
誘導画面表示ステップ（Ｓ２）において、操作者が、誘導画面２０を見て、メッセージ画像２３のメッセージを声に出して乳幼児に対して語りかけることで、乳幼児と操作者とのコミュニケーションを図ることができる。この誘導画面２０を表示している間、端末１から音声を発しないようにして、操作者が乳幼児に話しかけるようにさせることが好ましい。端末１から音声が発生されないので、操作者は積極的に乳幼児に対して話かける契機となる。トイレトレーニングは、乳幼児が独りで頑張ったり、保護者が無理やりトレーニングさせたりすると、乳幼児にとっても保護者にとっても負担になったり、ストレスを感じたりするため、トイレトレーニングが円滑に行われない可能性がある。そのため、誘導画面２０に示す画像を見た操作者が、誘導画面２０をきっかけに乳幼児に語りかけることで、乳幼児と操作者（保護者）とのコミュニケーションを図ることができ、乳幼児は、操作者（保護者）と一緒にいる安心感からストレスを軽減させることができる。本実施形態においては、キャラクター画像２２から発している言葉のように示しているが、これを操作者が声に出して読んで乳幼児に語りかけることで、乳幼児は、絵本を読んでもらっているときと同じような楽しい気分、嬉しい気分を得ることができる。なお、本実施形態においては、誘導画面２０の表示中は、端末１から音声を発生させないことにしたが、これに限られない。誘導画面２０に表示されたメッセージとは関係のないＢＧＭ等の効果音を発生させてもよい。
【００４５】
本実施形態においては、誘導画面２０に、トイレ画像２１、キャラクター画像２２、メッセージ画像２３を表示させたが、必ずしも全てを表示させなくてもよい。トイレ画像２１を表示させなくてもよいし、キャラクター画像２２のみを表示、又はメッセージ画像２３のみを表示させてもよい。
【００４６】
続いて、褒め画面表示受付ステップ（Ｓ３）について説明する。乳幼児がトイレで排泄することができた場合には、操作者は、カメラ１６のシャッターボタンを押す。このシャッターボタンが押されると、端末１の褒め画像表示受付処理部１１２は、褒め画面（後述）を表示する受付を行う（Ｓ３：褒め画面表示受付ステップ）。なお、褒め画面を表示する受付は、乳幼児がトイレで排泄することができた場合に限られない。トイレの便座に座ることができない段階の乳幼児には、トイレの便座に座ることができた場合に、褒め画面を表示する受付を行ってもよい。
【００４７】
褒め画面を表示する受付（Ｓ３）を行うと、制御部１１の褒め画面表示処理部１１３は、画面１ａに褒め画面３０を表示させる（Ｓ４：褒め画面表示ステップ）。図４は、褒め画面３０を説明する図である。褒め画面３０には、写真画像３１と複数の装飾画像３２が表示されている。
【００４８】
写真画像３１は、操作者がカメラ１６のシャッターボタンを押したことによる写真の画像であり、本実施形態においては、大人用（通常のトイレ）の上に載置された乳幼児用トイレに座っている乳幼児の写真画像である。
【００４９】
装飾画像３２は、写真画像３１を装飾する複数の所定の図柄を表した画像である。本実施形態の装飾画像３２は、写真画像３１中の乳幼児の頭部に、王冠の画像である王冠の装飾３２ａを配置し、写真画像３１中の乳幼児の周囲に、種々の大きさの星柄の画像である星柄の装飾３２ｂを複数個配置している。
【００５０】
褒め画面３０は、乳幼児がトイレトレーニングを達成できたことを客観的に認識させることができる画面であり、その達成を褒める画面である。操作者が褒め画面３０が表示された画面１ａを乳幼児に見せることで、乳幼児は、自分がトイレトレーニングに成功したこと、及び自分が褒められていることを認識することができ、乳幼児は褒められたことを喜び、今後のトイレトレーニングの励みにすることができる。また、このときに操作者が乳幼児に対して、「よくできたね」「頑張ったね」等の言葉をかけることで、乳幼児と操作者のコミュニケーションをより図ることができ、乳幼児は褒められていることをより実感することができる。
【００５１】
なお、褒め画面３０は、必ずしも写真画像３１と装飾画像３２の両方を備える必要はなく、写真画像３１だけであってもよく、装飾画像３２だけであってもよい。写真画像３１のみを表示して乳幼児に見せた場合、乳幼児は、トイレトレーニングに成功した自分の姿を画像で見ることができ、トイレトレーニングがうまくできたことの達成感を感じることができる。また、装飾画像３２のみを表示し、乳幼児に見せた場合、乳幼児は、画面１ａに表示された所定の図柄によって、トイレトレーニングがうまくできたことを認識することができる。但し、写真画像３１と装飾画像３２の両方を表示することで、乳幼児は褒められていることを実感しやすくなる。
【００５２】
また、写真画像３１を表示させた画面に当該トイレトレーニングを実行した日時を表示させたり、予め記憶部１２に『よく頑張ったね』『やったね』といった乳幼児に対する言葉を保存しておき、これらの言葉を画面１ａに表示させたりしてもよい。このとき、装飾画像３２を一緒に表示させていてもよい。
【００５３】
さらに、本実施形態においては、褒め画面３０は、写真画像３１と装飾画像３２を表示することにしたが、これに加えて、端末１のスピーカー（不図示）から効果音を発生させてもよい。乳幼児は、効果音によってトイレトレーニングに成功したことを認識することができる。
【００５４】
図４における褒め画面３０の右下部に設けられた『保存』のアイコンをタップすると、褒め画面３０を画像データとして、記憶部１２に保存することができる。今後、保存された褒め画面３０を乳幼児に見せることで、「あのときは上手にできたね。また頑張ってみよう」等の次回のトイレトレーニングの契機にすることができる。トイレトレーニングを行った日時を表示させた褒め画面３０を画像データとして、保存し続けると、アルバムや成長日記のような成長の記録にすることができる。この画像データは、乳幼児の成長をより実感させることができる。
【００５５】
褒め画面表示ステップ（Ｓ４）で、褒め画面３０を保存すると、褒め画面表示処理部１１３は、画面１ａに、スキンシップ方法の選択肢を表示させる（Ｓ５：スキンシップ方法の選択肢表示ステップ）。図５は、選択肢表示画面４０を説明する図である。選択肢表示画面４０には、選択肢であるカード４１ａ、４１ｂ、４１ｃが表示されている。
【００５６】
カード４１ａ、４１ｂ、４１ｃは、それぞれ異なるスキンシップの方法に対応付けられた選択肢であり、スキンシップの方法が隠された状態で表示されている。カード４１ａには、スキンシップ方法の『抱っこ』が対応付けられている。カード４１ｂには、スキンシップ方法の『タッチ』が対応付けられている。カード４１ｃには、スキンシップ方法の『ほっぺにチュ！』が対応付けられている。各カード４１に対応付けられたスキンシップ方法は、記憶部１２に格納されている。
【００５７】
操作者又は乳幼児が、１つのカード４１を選択すると、褒め画面表示処理部１１３は、選択されたカード４１に対応付けられたスキンシップ方法を表示する（Ｓ６：スキンシップ方法表示ステップ）。図６は、スキンシップ方法表示画面５０を説明する図である。スキンシップ方法表示画面５０は、１つのスキンシップ方法が表示され、他の２つのカードに対応付けられたスキンシップ方法は隠された状態のままである。
【００５８】
具体的には、操作者又は乳幼児が、選択肢表示画面４０においてカード４１ｃをタップすると、スキンシップ方法表示画面５０において、カード４１ｃに対応付けられたスキンシップ方法の『ほっぺにチュ！』が表示された状態のカード５１ｃとなる。このとき、選択（タップ）されなかったカード４１ａ、４１ｂは、スキンシップ方法が隠されたままの状態で表示されている。
【００５９】
これを見た操作者は、乳幼児の頬にキスをすることで、操作者と乳幼児とのスキンシップを図ることができる。スキンシップを図ることは、操作者にとっても乳幼児にとっても心地よいと感じることであり、喜びを実感できる行為である。例えば、乳幼児に対して、おやつやおもちゃを与えるようなご褒美を与えてしまうと、乳幼児は飽きてしまったり、欲求がエスカレートしてしまったりする恐れがある。その点、操作者と乳幼児とのスキンシップにおいては、飽きてしまったりする恐れが低く、今後のトイレトレーニングを共に頑張っていく上での連帯感を一緒に感じることができる。
【００６０】
このスキンシップ方法の表示によって、操作者と乳幼児は、カードゲームのように、楽しみながらスキンシップを図ることができ、一連のトイレトレーニングが楽しいものであるという印象を感じることができる。また、乳幼児と操作者との親密さをより向上させることができ、乳幼児は、褒められていることをより実感することができる。なお、今回選択されたスキンシップ方法の『ほっぺにチュ！」は、操作者が乳幼児の頬にキスをするだけでなく、乳幼児が操作者の頬にキスをしたり、互いの頬にキスをするものであってもよい。また、カード４１ｃの状態から、スキンシップ方法が表示されたカード５１ｃの状態になると同時に、効果音や『ほっぺにチュをしよう』などの音声をスピーカーから発声させてもよい。
【００６１】
本実施形態においては、スキンシップ方法を３つのカードによる選択肢としたが、これに限られない。選択肢は、４枚、５枚・・・等、適宜変更することができる。また、本実施形態においては、３枚の選択肢にそれぞれスキンシップ方法を対応付けたが、これに限られない。選択肢のうち少なくとも１枚の選択肢にスキンシップ方法を記載していればよく、他の選択肢には、所定の図柄や文字を表示させてもよい。
【００６２】
また、スキンシップ方法の選択肢表示ステップ（Ｓ５）を行わずに、スキンシップ方法表示画面５０ｘ、５０ｙのように、褒め画面表示ステップ（Ｓ４）の次に、スキンシップ方法表示ステップ（Ｓ６）を行ってもよい。
【００６３】
図７は、別の実施形態のスキンシップ方法表示画面５０ｘを説明する図である。図７に示すように、スキンシップ方法表示画面５０ｘには、スキンシップ方法である『ぎゅーっとタイムだよ』が１つだけ表示されている。これを見た操作者と乳幼児は、互いに抱き合うことで、スキンシップを図ることができる。なお、スキンシップ方法表示画面５０ｘに表示させるスキンシップ方法は、記憶部１２内に複数のスキンシップ方法を格納しておき、無作為に選択したものであってもよい。
【００６４】
さらに、別の実施形態として、スキンシップ方法表示画面５０ｙに、複数のスキンシップ方法を表示していてもよい。図８は、別の実施形態のスキンシップ方法表示画面５０ｙを説明する図である。図８に示すように、画面１ａには複数のスキンシップ方法が、全て見える状態で３つ表示されている。これを見た操作者又は乳幼児が、好きなものを選択してスキンシップを図ることができる。このとき、選択するスキンシップ方法は、１つでもよく２つ以上であってもよい。
【００６５】
本発明のトイレトレーニング方法、トイレトレーニングのプログラムを用いると、乳幼児は、達成できた経験を積み重ねることで、トイレトレーニングに対する自信をつけることができる。特に、達成できた自分の姿を写真として見ることができると、客観的に達成できたことを認識することができるため、トイレトレーニングに対する抵抗を軽減することができる。さらに、誘導画面表示ステップＳ１からスキンシップ方法表示ステップＳ６まで、乳幼児と操作者とのコミュニケーションの機会を増やし、ゲームのような感覚を得られるため、両者の関係を良好にし、両者のストレスを軽減し、楽しみながらトイレトレーニングを円滑に進めることができる。
【００６６】
上述の実施形態においては、褒め画面３０と、スキンシップ方法表示画面５０（及び選択肢表示画面４０）、スキンシップ方法表示画面５０ｘ、スキンシップ方法表示画面５０ｙについて便宜上、それぞれ分けて説明したが、これらの画面はいずれも乳幼児を褒めるための画面であるため、「褒め画面」である。
【００６７】
なお、必ずしもスキンシップ方法の表示（Ｓ６）を行う必要はなく、褒め画面表示ステップ（Ｓ４）までを行うことによって、乳幼児にトイレトレーニングに成功したことを認識させることができる。但し、スキンシップ方法表示ステップ（Ｓ６）まで行うことによって、乳幼児と操作者の親密さをより向上させることができる。乳幼児は、操作者と親密になるほど、褒められていることをより実感することができるため、乳幼児のトイレトレーニングに対するストレスを軽減し、トイレトレーニングをより円滑に進めることができ、操作者の負担も軽減することができる。
【００６８】
さらに、誘導画面２０を表示した後（誘導表示ステップ）、褒め画面３０として写真画像３１や装飾画像３２を表示し（褒め画面表示ステップ）、その後、スキンシップ方法を表示させるというこの一連の流れを経たトイレトレーニングを行うことで、まず、誘導表示ステップで乳幼児にトイレに対して興味を向かせることができ、次の褒め画面表示ステップで乳幼児は自己の成功を実感することができ、その後のスキンシップによって、自分が褒められて、次も頑張ろうと思うモチベーションを上げるきっかけにすることができる。
【００６９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７０】
上述の実施形態においては、プログラム起動ステップ（Ｓ１）において、操作者がプログラムを起動させることにしたが、これに限られない。端末１内に時計やタイマーを備えて、所定時間になると制御部１１が自動的にプログラムを起動させることにしてもよい。このようにすることで、操作者や乳幼児にトイレトレーニングを行う時間を知らせて、定期的にトイレトレーニングを促すことができる。
【００７１】
また、上述の実施形態においては、プログラム起動ステップ（Ｓ１）に続いて、誘導画面表示ステップ（Ｓ２）においてキャラクター画像２２とメッセージ画像２３を、トイレ画像２１と一緒に表示させることにしたが、これに限られない。例えば、カメラ１６で撮影するトイレに予めＡＲマーカーを備えておき、本プログラム起動させ（Ｓ１）、操作者が端末１でＡＲマーカーを読み取ると、ＡＲマーカーによって指定されたキャラクター画像２２及びメッセージ画像２３を表示させて、カメラ１６によって表示された現実のトイレを映し出したトイレ画像２１と合わせて誘導画面２０を構成するものであってもよい。
【００７２】
さらに、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
【００７３】
また、実行可能なプログラムが記憶された非一時的なコンピューター可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【００７４】
１  端末（コンピューター）、１ａ  画面、１１  制御部、１１１  誘導表示処理部、１１２  褒め画面表示受付処理部、１１３  褒め画面表示処理部、１２  記憶部、１３  入力部、１４  画面、１５  通信部、１６  カメラ、２０  誘導画面、２１  トイレ画像、２２  キャラクター画像、２３  メッセージ画像、３０  褒め画面、３１  写真画像、３２  装飾画像（所定の図柄）、３２ａ  王冠の装飾、３２ｂ  星柄の装飾、４０  選択肢表示画面（褒め画面）、４１ａ、４１ｂ、４１ｃ  カード（選択肢）、５０  スキンシップ方法表示画面（褒め画面）、５０ｘ  スキンシップ方法表示画面（褒め画面）、５０ｙ  スキンシップ方法表示画面（褒め画面）、５１ｃ  カード（スキンシップ方法）
【図１】
2018084610.tif 000003
【図２】
2018084610.tif 000004
【図３】
2018084610.tif 000005
【図４】
2018084610.tif 000006
【図５】
2018084610.tif 000007
【図６】
2018084610.tif 000008
【図７】
2018084610.tif 000009
【図８】
2018084610.tif 000010
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
コンピューターに、
乳幼児をトイレに誘導するための誘導画面を画面に表示させる誘導表示処理と、
前記乳幼児を前記トイレに誘導した後に、前記乳幼児を褒めるための褒め画面の表示の要求を受け付ける受付処理と、
前記受付処理に基づいて、前記褒め画面を前記画面に表示させる褒め表示処理と、を実行させるプログラムであって、
前記コンピューターは、カメラを備えており、
前記受付処理は、前記カメラを用いて前記乳幼児を撮影するための操作に基づいて前記表示を受ける要求を受け付ける処理であり、
前記褒め画面は、前記乳幼児が撮影された画像を含むことを特徴とするプログラム。
【請求項２】
請求項１のプログラムであって、
前記誘導画面は、前記コンピューターの操作者が前記乳幼児に対して読むためのメッセージの表示を含み、
前記メッセージは、前記乳幼児をトイレに誘導するための言葉であることを特徴とするプログラム。
【請求項３】
請求項１又は２に記載のプログラムであって、
前記誘導画面は、所定のキャラクターの表示を含み、
前記キャラクターは、前記乳幼児が使用する吸収性物品に関連付けられたものであることを特徴とするプログラム。
【請求項４】
請求項１から３のいずれか１項に記載のプログラムであって、
前記褒め画面は、前記乳幼児が撮影された画像とともに、前記乳幼児が撮影された画像を装飾する画像の表示を含むことを特徴とするプログラム。
【請求項５】
請求項１から４のいずれか１項に記載のプログラムであって、
前記褒め画面は、
前記コンピューターの操作者と前記乳幼児とのスキンシップを促すためのメッセージの表示を含むことを特徴とするプログラム。
【請求項６】
請求項１から５のいずれか１項に記載のプログラムであって、
前記褒め表示処理において、
前記乳幼児が撮影された画像を含む前記褒め画面を前記画面に表示させた後に、
前記コンピューターの操作者と前記乳幼児とのスキンシップを促すためのメッセージを含む前記褒め画面を前記画面に表示させることを特徴とするプログラム。
【請求項７】
請求項５又は６に記載のプログラムであって、
前記褒め画面は、複数の選択肢の表示を含み、
前記複数の選択肢の少なくとも１つの選択肢には、前記スキンシップの方法が隠された状態で対応付けられており、
前記操作者又は乳幼児によって、前記複数の選択肢のうちの前記１つの選択肢が選択されると、選択された前記選択肢に対応付けられた前記スキンシップの方法を表示させることを特徴とするプログラム。
【請求項８】
請求項５又は６に記載のプログラムであって、
前記褒め画面は、異なるスキンシップの方法の表示を視認可能な状態で含むことを特徴とするプログラム。
【請求項９】
請求項５又は６に記載のプログラムであって、
予め準備された異なるスキンシップの方法の中から、コンピューターに、１つのスキンシップの方法を選択させ、
前記褒め画面は、前記１つのスキンシップの方法の表示を含むことを特徴とするプログラム。
【請求項１０】
コンピューターが、乳幼児をトイレに誘導するための誘導画面を画面に表示する誘導表示ステップと、
前記乳幼児を前記トイレに誘導した後に、前記コンピューターが、前記乳幼児を褒めるための褒め画面の表示の要求を受け付ける受付ステップと、
前記要求に基づいて、前記コンピューターが、前記褒め画面を前記画面に表示する褒め表示ステップと、を備えるトイレトレーニング方法であって、
前記コンピューターは、カメラを備えており、
前記受付ステップは、前記カメラを用いて前記乳幼児を撮影するための操作に基づいて前記表示を受ける要求を受け付けるステップであり、
前記褒め画面は、前記乳幼児が撮影された画像を含むことを特徴とするトイレトレーニング方法。
【請求項１１】
コンピューターシステムであって、
乳幼児をトイレに誘導するための誘導画面を画面に表示する誘導表示処理部と、
前記コンピューターシステムの操作者が前記乳幼児を前記トイレに誘導した後に、前記乳幼児を褒めるための褒め画面の表示の要求を受け付ける受付処理部と、
前記要求に基づいて、前記褒め画面を前記画面に表示する褒め表示処理部と、
カメラと、を有しており、
前記受付処理部は、前記カメラを用いて前記乳幼児を撮影するための操作に基づいて前記表示を受ける要求を受け付け、
前記褒め画面は、前記乳幼児が撮影された画像を含むことを特徴とするコンピューターシステム。
【手続補正２】
【補正対象書類名】明細書
【補正対象項目名】０００６
【補正方法】変更
【補正の内容】
【０００６】
上記目的を達成するための主たる発明は、
コンピューターに、
乳幼児をトイレに誘導するための誘導画面を画面に表示させる誘導表示処理と、
前記乳幼児を前記トイレに誘導した後に、前記乳幼児を褒めるための褒め画面の表示の要求を受け付ける受付処理と、
前記受付処理に基づいて、前記褒め画面を前記画面に表示させる褒め表示処理と、を実行させるプログラムであって、
前記コンピューターは、カメラを備えており、
前記受付処理は、前記カメラを用いて前記乳幼児を撮影するための操作に基づいて前記表示を受ける要求を受け付ける処理であり、
前記褒め画面は、前記乳幼児が撮影された画像を含むことを特徴とするプログラムである。
本発明の他の特徴については、本明細書及び添付図面の記載により明らかにする。